(57)【要約】【課題】一般の商業印刷で使用されているインキを用いて、赤外線領域中の更に特定の領域である中赤外線領域から遠赤外線領域のみ、赤外特性を有する印刷物を提案することを目的とする。                      【解決手段】  基材上に、インキ膜厚又は面積率の差により形成された平滑性の異なる模様部とカモフラージュ部に区分けされた印刷画像を、基材とは異なる色のインキで万線状又はマトリックス状に配置することで、特定の領域において、模様部とカモフラージュ部のいずれか一方が視認できる偽造防止媒体である。【選択図】  図１７
2014201051.tif 000002
【特許請求の範囲】
【請求項１】
基材上における少なくとも一部に、印刷画像を有し、
前記印刷画像は、インキ膜厚又は面積率の差により平滑性が異なることで、模様部とカモフラージュ部に区分けされ、
前記模様部は、前記基材とは異なる色のインキで形成された模様要素が、万線状又はマトリックス状に配置されて成り、
前記カモフラージュ部は、前記基材とは異なる色のインキで形成されたカモフラージュ要素が、万線状又はマトリックス状に配置されて成り、
中赤外線領域から遠赤外線領域において、前記平滑性の差により、前記模様部又は前記カモフラージュ部のどちらか一方が視認されることを特徴とする偽造防止媒体。
【請求項２】
前記模様部及び前記カモフラージュ部の面積率が異なる場合、前記模様部及び前記カモフラージュ部のどちらか一方は、微細要素が、万線状又はマトリックス状に配置されて成ることを特徴とする請求項１記載の偽造防止媒体。
【請求項３】
前記模様部と前記カモフラージュ部は、等色のインキで形成され、
前記カモフラージュ部は、前記模様部の周囲に配置され、
前記模様部及び前記カモフラージュ部のインキ膜厚が異なる場合、前記模様部及び前記カモフラージュ部において、インキ膜厚が厚い一方は、インキ膜厚が薄い他方よりも面積率が小さいことを特徴とする請求項１又は請求項２記載の偽造防止媒体。
【請求項４】
前記インキは、導電性インキであることを特徴とする請求項１乃至３のいずれか一項記載の偽造防止媒体。
【請求項５】
前記模様部と前記カモフラージュ部は、同じインキで形成されたことを特徴とする請求項１乃至４のいずれか一項記載の偽造防止媒体。
【発明の詳細な説明】
【技術分野】
【０００１】
本発明は、銀行券、旅券、有価証券、商品タグ及び各種証明書等の貴重印刷物に偽造及び複製の防止用として施す秘匿情報を有する印刷物に関するものである。
【背景技術】
【０００２】
従来から貴重印刷物には、偽造防止策としてすき入れ、微小文字等の肉眼による真偽判別を行う技術に加え、紫外線領域において発光特性を有する蛍光材料が多く付与されている。
【０００３】
しかしながら、蛍光材料については近年商業印刷に多く用いられるようになり、それに伴い、比較的安価で市販されていることから、その偽造防止力は低下している。そこで貴重印刷物には、蛍光材料に代わり、赤外線領域において可視光源下と異なる特性を有する赤外材料が使われている。
【０００４】
例えば、赤外線領域において、反射特性と吸収特性を有する材料を用いた印刷物として特許文献１には、赤外線反射特性を有する基材上に、一種類の赤外吸収材料の含有比率を異ならせることで、赤外反射強度が異なるが、色相が同一となる情報部が複数付与された印刷物が開示されている。
【０００５】
また、赤外線領域において、透過特性を有するインキとして特許文献２には、赤外透過性を有する樹脂被膜により白色粒子を被覆することで、近赤外領域から中赤外線領域の反射特性を有する粒子が添加された印刷インキが開示されている。
【先行技術文献】
【特許文献】
【０００６】
【特許文献１】特開２０１０−１９８５４３号公報
【特許文献２】特許第５０２１１７４号公報
【発明の概要】
【発明が解決しようとする課題】
【０００７】
特許文献１によって、一種類の赤外特性を有する材料を用いて、赤外特性の異なる領域を形成することが可能となった。また、特許文献２によって、近赤外領域から中赤外線領域という赤外線領域中の更に特定の領域のみ赤外特性を有するインキを作成することが可能となり、より偽造防止効果の優れたインキを得ることが可能となった。
【０００８】
しかしながら、特許文献１では、高額な赤外材料を必要とし、さらには、赤外材料の含有比率が異なるインキを、あらかじめ複数作製する必要がある。また、特許文献２では特殊な製造方法によりインキを作製する必要がある。よって、特許文献１及び特許文献２をはじめとして赤外材料は、生産コスト面において、経済性に見合う製品にしか付与することができなかった。
【０００９】
そこで、本発明は、一般の商業印刷で使用されているインキを用いて、赤外線領域中の更に特定の領域である中赤外線領域から遠赤外線領域のみ、赤外特性を有する印刷物を提供することを目的とし、さらには、一種類のインキを用いて、中赤外線領域から遠赤外線領域のみ、赤外特性を有する印刷物を提供することを目的とする。
【課題を解決するための手段】
【００１０】
前述の目的を達成するために、請求項１記載の発明は、基材上における少なくとも一部に、印刷画像を有し、印刷画像は、インキ膜厚又は面積率の差により平滑性が異なることで、模様部とカモフラージュ部に区分けされ、模様部は、基材とは異なる色のインキで形成された模様要素が、万線状又はマトリックス状に配置されて成り、カモフラージュ部は、基材とは異なる色のインキで形成されたカモフラージュ要素が、万線状又はマトリックス状に配置されて成り、中赤外線領域から遠赤外線領域において、平滑性の差により、模様部又はカモフラージュ部のどちらか一方が視認されることを特徴とする偽造防止媒体である。
【００１１】
また、請求項２の発明は、請求項１記載の偽造防止媒体において、模様部及びカモフラージュ部の面積率が異なる場合、模様部及びカモフラージュ部のどちらか一方は、微細要素が、万線状又はマトリックス状に配置されて成ることを特徴とする。
【００１２】
また、請求項３の発明は、請求項１又は２記載の偽造防止媒体において、模様部とカモフラージュ部は、等色のインキで形成され、カモフラージュ部は、模様部の周囲に配置され、  模様部及びカモフラージュ部のインキ膜厚が異なる場合、模様部及びカモフラージュ部において、インキ膜厚が厚い一方は、インキ膜厚が薄い他方よりも面積率が小さいことを特徴とする。
【００１３】
また、請求項４の発明は、請求項１乃至３のいずれか一項記載の偽造防止媒体において、インキは、導電性インキであることを特徴とする。
【００１４】
さらに、請求項５の発明は、請求項１乃至４のいずれか一項記載の偽造防止媒体において、模様部とカモフラージュ部は、同じインキで形成されたことを特徴とする。
【発明の効果】
【００１５】
本発明の潜像画像を有する印刷物は、潜像画像を形成するインキの膜厚又は面積率を変化させることで、中赤外線領域から遠赤外線領域において潜像画像が視認可能となる。よって、一般の商業印刷に使用されているインキを用いて印刷することが可能なため、従来の赤外特性を有する印刷物よりも非常に安価で作製することが可能になる。
【００１６】
さらには、インキの膜厚又は面積率の変化のみで、赤外特性を付与することが可能であることから、従来のように、複数種類のインキを用いなくても、一種類のインキにより、作製することが可能になる。
【図面の簡単な説明】
【００１７】
【図１】偽造防止媒体（Ｓ）の一実施例を示す平面図。
【図２】印刷画像（２）を説明する平面図。
【図３】模様部（３）及びカモフラージュ部（４）の構成を示す平面図。
【図４】要素の一例を示す図。
【図５】模様部（３）とカモフラージュ部（４）のインキ膜厚の差を示す断面図。
【図６】模様部（３）とカモフラージュ部（４）の面積率の差を示す模式図。
【図７】インキの膜厚差による、模様部（３）とカモフラージュ部（４）の区分けを示す模式図。
【図８】模様部（３）とカモフラージュ部（４）の面積率の差による区分けを示す模式図。
【図９】隙間なく配置された模様要素（３ａ）及びカモフラージュ要素（４ａ）を示す平面図。
【図１０】模様要素（３ａ）とカモフラージュ要素（４ａ）の他の配置を示す模式図。
【図１１】微細要素（３ｂ）の構成を示す平面図。
【図１２】模様要素（３ａ）とカモフラージュ要素（４ａ）の他の形状を示す平面図。
【図１３】媒体（Ｓ）の視認状態を説明する模式図。
【図１４】下地印刷を有する印刷画像（２）を示す模式図。
【図１５】印刷画像（２）の他の構成を説明する平面図。
【図１６】模様部（３’）とカモフラージュ部（４’）の配置の一例を示す。
【図１７】模様部（３’）とカモフラージュ部（４’）を面積率により区分けした印刷画像（２’）を示す模式図。
【図１８】面積率の差を示す模式図。
【図１９】媒体（Ｓ’）の視認状態を説明する模式図。
【図２０】印刷画像（２）の他の構成を説明する平面図。
【図２１】実施例２の印刷画像（２’）を示す模式図。
【発明を実施するための形態】
【００１８】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００１９】
図１は、本発明における偽造防止媒体（以下、「媒体」という。）（Ｓ）の一実施例を示す平面図である。
【００２０】
媒体（Ｓ）は、例えば、紙幣、証券、パスポート、身分証明書等の貴重印刷物であり、
紙、プラスチックカード等の印刷可能な基材（１）上における少なくとも一部の領域（Ｚ）内に、基材（１）と異なる色の印刷画像（２）を有している。印刷画像（２）は、可視光源下では、一つの画像として視認されるが、中赤外線領域から遠赤外線領域の正反射領域では、視認可能となる秘匿情報を有している。
【００２１】
図２は、印刷画像（２）を説明する平面図である。印刷画像（２）は、文字、数字、模様等の有意味情報を表しており、図２では、「ＡＢＣ」の文字を表している。印刷画像（２）は、可視光源下では一つの画像として視認されるが、平滑性の違いにより、模様部（３）及びカモフラージュ部（４）に区分けされる。
【００２２】
原理については詳細に後述するが、平滑性が異なることで、可視光源下において一つの画像として視認される印刷画像（２）が、中赤外線領域から遠赤外線領域の正反射領域では、模様部（３）又はカモフラージュ部（４）の一方のみが視認可能となる。
【００２３】
次に、模様部（３）とカモフラージュ部（４）のそれぞれの構成について説明する。図３は、模様部（３）及びカモフラージュ部（４）の構成を示す平面図である。図３（ａ１）に示す模様部（３）は、印刷画像（２）を平滑性の差により区分けした場合の、一方の印刷部であり、図３（ａ１）では、印刷画像（２）である文字「ＡＢＣ」のうち、文字「ＡＣ」のみを表している。
【００２４】
図３（ａ２）の拡大図に示すように、模様部（３）は、基材（１）とは異なる色のインキで形成された模様要素（３ａ）が万線状に配置されてなるか、又は、図３（ａ３）の拡大図に示すように、模様要素（３ａ）がマトリックス状に配置されてなる。
【００２５】
図３（ｂ１）に示すカモフラージュ部（４）は、印刷画像（２）を平滑性の差により区分けした場合の、他方の印刷部であり、図３（ｂ１）では、印刷画像（２）である文字「ＡＢＣ」のうち、文字「Ｂ」のみを表している。
【００２６】
図３（ｂ２）の拡大図に示すように、カモフラージュ部（４）は、基材（１）とは異なる色のインキで形成されたカモフラージュ要素（４ａ）が万線状に配置されてなるか、又は、図３（ｂ３）の拡大図に示すように、模様要素（３ａ）がマトリックス状に配置されてなる。模様部（３）とカモフラージュ部（４）を形成するインキは、同じ色でも異なる色でも良い。以下、模様部（３）とカモフラージュ部（４）が同じ色のインキとして説明する。
【００２７】
本発明において、模様要素（３ａ）及びカモフラージュ要素（４ａ）は、それぞれが画線、点、画素の少なくとも一つ又はそれぞれの組合せである。図４は、模様要素（３ａ）及びカモフラージュ要素（４ａ）の形状を示す図であり、一例として模様要素（３ａ）を示す平面図である。
【００２８】
画線とは、図４（ａ）、図４（ｂ）、図４（ｃ）及び図４（ｄ）に示すような、直線、破線、波線又は破線状の波線のことである。点とは、網目スクリーン、コンタクトスクリーン等により、印刷物上に構成された点である。点及び後述する画素は、直線状又は波線状に複数配置されて、点群又は画素群を形成する。
【００２９】
点群又は画線群と成ることで画線状に構成された模様要素（３ａ）が、万線状に配置されることで、図３（ａ）に示す模様部（３）となる。点形状は、円形ドットに限定されるものではなく、ランダムドットや本出願人が先に出願した特開平１１−２６８２２８号公報で提案している特殊網点生成法を用いて意匠性を加味した入力画像を網点(ハーフトーンスクリーン)から成る、連続階調網点に変換した自由度のある特殊網点形状を用いても良い。
【００３０】
画素とは、図形、文字等の二次元画像を縦横の線で分割した、その最小単位のことである。画素形状は、図４（ｅ）、図４（ｆ）、図４（ｇ）、図４（ｈ）、図４（ｉ）及び図４（ｊ）に示すような、円形状、楕円形状、多角形状、文字形状のことである。図４（ｈ）に示した文字形状は、一般的に微小文字又は特殊網点と呼ばれるが、本発明においては画素とする。さらに、図４（ｉ）及び図４（ｊ）に示すように、要素は、画線、点及び画素をそれぞれ組み合わせても良い。なお、本実施形態については模様要素（３ａ）及びカモフラージュ要素（４ａ）を、図４（ａ）に示す直線状の画線として説明する。
【００３１】
次に、模様部（３）とカモフラージュ部（４）の平滑性の差が生じる原理について説明する。
【００３２】
図５は、模様部（３）とカモフラージュ部（４）の平滑性の差を示す断面図である。模様部（３）及びカモフラージュ部（４）は、インキ膜厚又は面積率が異なることで、平滑性に差が生じる。なお、本実施形態における平滑性とは、模様部（３）及びカモフラージュ部（４）の表面の平らさ、滑らかさを表すものであり、ベック平滑度試験器（ＪＩＳ  Ｐ  ８１３０）での測定値やレーザ変位計で測定される表面粗さの指標のことである。本実施形態においては、平滑性が高いほど、インキ皮膜の表面が平坦であり、平滑性が低いほど、インキ皮膜の表面が粗く凹凸がある構成となる。
【００３３】
図５は、模様部（３）とカモフラージュ部（４）のインキ膜厚が異なる場合の、図２のＸ１−Ｘ１’断面における拡大図である。なお、図５及び後述する図６（ａ）に示す断面図は、平滑性の差を詳細に説明するために一部を抜粋した図となっている。
【００３４】
図５に示すように、模様部（３）とカモフラージュ部（４）のインキ膜厚が異なる場合、印刷方式によるインキ定着挙動や付与方法に起因して平滑性が異なる。
【００３５】
インキの定着挙動とは、基材（１）上に付与されたインキが、どのように基材（１）に定着（硬化）するかを示すものである。例えば、模様部（３）が、カモフラージュ部（４）よりインキ膜厚が厚い場合、表面張力、乾燥や基材（１）に対する浸透の挙動等の影響により、インキから成る模様部（３）に凸形状（盛り）が発生しやすく、結果としてインキ皮膜表面の平坦な部分が減少する場合が多い。
【００３６】
また、十分な膜厚を持たせる場合にはインクジェット印刷等により基材（１）を被覆しながら、意図的にインキ皮膜に凹凸を付与することも可能である。例えば、基材（１）に対して、印刷（インキの吐出）を同じ位置に複数回に分けて行うことにより凹凸を付与することが可能である。よって、インキの定着挙動や、意図的な凹凸の付与により、インキ膜厚を変更することで、平滑性に差を生じさせることが可能である。
【００３７】
また、図６（ａ）は、模様部（３）とカモフラージュ部（４）の面積率が異なる場合の、図２のＸ１−Ｘ１’断面における拡大図であり、図６（ｂ）は、図６（ａ）に示す模様要素（３ａ）とカモフラージュ要素（４ａ）の平面構成を示す拡大図である。
【００３８】
本実施形態における面積率とは、各要素（３ａ、４ａ）を画素又は画線とした場合には、所定の大きさ及び形状の画素、又は、所定の画線幅及び大きさの画線をベタ面積で構成した場合を１００％とした際の面積に対する、画線又は画素のインキが設けられる部分のみの面積の比率をいう。
【００３９】
例えば、図６（ｂ）に示すように、模様要素（３ａ）を画線とした場合には、所定の画線幅（Ｗ３）及び大きさ（Ｋ）の画線をベタ面積で構成した場合を１００％とした際の面積に対する、画線のインキが設けられる部分のみの面積の比率をいう。
【００４０】
図６（ｂ）において、カモフラージュ部（４）は面積率１００％の実線から構成されたカモフラージュ要素（４ａ）から成る。そのため、所定の画線幅（Ｗ４）を有するカモフラージュ要素（４ａ）は画線上に平坦な部位が形成されることとなり、平滑性は高い。
【００４１】
一方、模様部（３）は、面積率９０％の斜めの微細画線から構成された模様要素（３ａ）から成る。模様要素（３ａ）は複数の微細画線から構成されるため、インキが設けられる部分は、基材（１）上に、インキ膜厚に応じた微小な凹凸が形成されることとなる。よって、ベタ画線からなるカモフラージュ部（４）と比べ、平滑性が低くなる。
【００４２】
しかしながら、可視光領域では、面積率の差及びインキ膜厚の差に起因する平滑性の差を、肉眼で識別することができない。よって、模様部（３）及びカモフラージュ部（４）から成る一つの画像として、印刷画像（２）が視認される。
【００４３】
中赤外線領域から遠赤外線領域では、インキ膜厚又は面積率を互いに異ならせた場合、平滑性の差に起因し、模様部（３）とカモフラージュ部（４）において中赤外線領域から遠赤外線領域の正反射光の強度に差が生じる。ここで正反射光の強度とは、例えばサーモグラフィによる測定値のことを言う。
【００４４】
なお、本発明における中赤外線領域とは、３０００〜５０００ｎｍの波長域のことであり、遠赤外線領域とは、８０００〜１４０００ｎｍの波長域のことである。
【００４５】
中赤外線領域から遠赤外線領域において、面積率が１００％である平滑性が高い方では、正反射光の強度が高いため、画像上では輝度が高く（白く）表示される。一方、面積率が９０％である平滑性が低い方は、平滑性が高い方と比較して正反射光の強度が低いため輝度が低く（黒く）表示される。
【００４６】
また、基材（１）については、基材（１）の平滑性に応じて、中赤外線又は遠赤外線反射特性に対応した強度の明るさが視認される。例えば、平滑性が高い時には、輝度が高く視認され、平滑性が低い時には、輝度が低く視認される。
【００４７】
よって、中赤外線領域から遠赤外線領域では、図２に示す印刷画像（２）は、模様部（３）とカモフラージュ部（４）のうち、一方が基材（１）と等色で視認される。もしくは、模様部（３）、基材（１）、カモフラージュ部（４）がそれぞれ異なる強度で視認される。
【００４８】
なお、中赤外線領域から遠赤外線領域において、模様部（３）とカモフラージュ部（４）が異なる輝度で視認される構成とする場合は、中赤外線領域から遠赤外線領域における基材（１）の影響を無視することができる。しかしながら、模様部（３）又はカモフラージュ部（４）を潜像とし、中赤外線領域から遠赤外線領域において消失又は発現させるためには、模様部（３）又はカモフラージュ部（４）の一方を、基材（１）と等色として視認されるように、基材（１）、模様部（３）及びカモフラージュ部（４）を適宜設計する。
【００４９】
なお、中赤外線領域から遠赤外線領域において、模様部（３）とカモフラージュ部（４）の正反射光の強度に差が生じる平滑性の差は、インキ、基材、塗布の方法等によって異なるため、中赤外線領域から遠赤外線領域において、模様部（３）及びカモフラージュ部（４）が異なる輝度で視認可能となるように、適宜設計する。
【００５０】
また、可視光源下において表面の凹凸の違いが視認しやすくなり、模様部（３）とカモフラージュ部（４）が等色で視認されず、模様部（３）とカモフラージュ部（４）が区分けして視認される条件は、インキ、基材、塗布の方法等によって異なるため、模様部（３）とカモフラージュ部（４）が可視光源下において肉眼で等色として認識可能となるように、適宜設計する。
【００５１】
なお、基材（１）の平滑性は特に限定されるものではないが、印刷後の印刷面において平滑性が高い部位と低い部位が付与可能で、かつ、中赤外線領域から遠赤外線領域において、模様部（３）及びカモフラージュ部（４）が異なる輝度で視認可能となるものを、適宜選択する。
【００５２】
次に、模様部（３）とカモフラージュ部（４）の区分けについて説明する。図７は、
印刷画像（２）が、インキ膜厚の差により模様部（３）とカモフラージュ部（４）に区分けされた場合を示す模式図である。なお、図７では、詳細に説明するために、模様部（３）とカモフラージュ部（４）をいずれも模式的に隣り合う矩形領域として図示している。
【００５３】
図７（ａ）は、模様部（３）とカモフラージュ部（４）のインキ膜厚が異なる場合の平面図であり、図７（ｂ）は、図７（ａ）のＸ２−Ｘ２’断面を示す図である。図７では、一例として模様部（３）のインキ膜厚を、カモフラージュ部（４）より大きくしているが、インキ膜厚の差により模様部（３）とカモフラージュ部（４）に区分けされるならば、どちらのインキ膜厚が大きくても良い。
【００５４】
以下、本実施形態では、模様部（３）とカモフラージュ部（４）がインキ膜厚の差により区分けされる場合、模様部（３）のインキ膜厚（ｈ１）が、カモフラージュ部（４）のインキ膜厚（ｈ２）より大きいとして説明する。
【００５５】
模様部（３）のインキ膜厚（ｈ１）と、カモフラージュ部（４）のインキ膜厚（ｈ２）の差は、インキの光沢、インキの色によりその許容範囲は異なるが１μｍ〜３０μｍが、好ましい。
【００５６】
インキ膜厚の差が１μｍ未満の場合、中赤外線領域から遠赤外線領域で、模様部（３）とカモフラージュ部（４）の正反射光の強度に差が生じづらくなり、模様部（３）とカモフラージュ部（４）が区分けして視認できず、好ましくない。
【００５７】
また、インキ膜厚の差が３０μｍを超える場合、可視光源下において、模様部（３）とカモフラージュ部（４）のインキ膜厚差に起因する、図７（ｂ）に示す側面（Ｅ）の光沢や陰影、濃度差等により、模様部（３）とカモフラージュ部（４）が容易に区分けして視認され、好ましくない。
【００５８】
模様部（３）とカモフラージュ部（４）のインキ膜厚の差は、インクジェットプリンタ、凹版印刷等公知の印刷版面及び印刷方式により形成する。例えば、凹版印刷のように、版面を用いる印刷方式の場合は、製版時において、模様部（３）とカモフラージュ部（４）の版面深さを異ならせることにより、印刷時に版面から基材（１）に転移するインキ量が異なることで、インキ膜厚の差が生じる。
【００５９】
また、スクリーン印刷のように、版面を用いるが版面深さが一定の印刷方式の場合は、
紫外線硬化型インキにより、模様部（３）及びカモフラージュ部（４）を形成したのち、インキ硬化時に、模様部（３）とカモフラージュ部（４）のどちらか一方にマスクを用いて、紫外線照射時間を異ならせることで、基材（１）に転移したインキのインキ浸透時間の差に起因してインキ浸透量が異なることで、インキ膜厚の差が生じる。
【００６０】
さらに、インクジェットプリンタ、レーザープリンタ等、版面を用いない印刷方式の場合は、印刷（インキの吐出）を複数回行うことにより形成する。例えば、乾燥機構を持つインクジェットプリンタを用い、印刷を複数回にわけて行い、同位置へ塗布と乾燥を繰り返すことで、模様部（３）及びカモフラージュ部（４）のインキ膜厚を調整する。
【００６１】
次に、印刷画像（２）が、面積率の差により模様部（３）とカモフラージュ部（４）に区分けされた場合について説明する。
【００６２】
図８は、模様部（３）とカモフラージュ部（４）の面積率の差による区分けを示す模式図である。模様部（３）とカモフラージュ部（４）が、それぞれ模様要素（３ａ）及びカモフラージュ要素（４ａ）を万線状に配置されているが、面積率の差を生じさせるために、模様要素（３ａ）は複数の微細要素（３ｂ）から成る構成とし、カモフラージュ要素（４ａ）は実線としている。
【００６３】
図８（ａ）は、模様部（３）とカモフラージュ部（４）の面積率が異なる場合の平面図であり、図８（ｂ）は、図８（ａ）の拡大図である。図８では、一例として模様部（３）の面積率を、カモフラージュ部（４）の面積率より小さくしているが、面積率差により模様部（３）とカモフラージュ部（４）に区分けされるならば、どちらの面積率が大きくても良い。
【００６４】
以下、本実施形態においては、模様部（３）とカモフラージュ部（４）が面積率の差により区分けされる場合、模様部（３）の面積率が、カモフラージュ部（４）の面積率より小さいとして説明する。
【００６５】
図８（ａ）及び図８（ｂ）に示すように、模様部（３）は、模様要素（３ａ）が第１の方向（Ｖ）に第１のピッチ（ｄ１）で複数配置される。また、カモフラージュ部（４）は、カモフラージュ要素（４ａ）が、模様要素（３ａ）を配置した方向と同じ方向である第１の方向（Ｖ）に、模様要素（３ａ）と同じ又は異なる第２のピッチ（ｄ２）で複数配置される。
【００６６】
模様要素（３ａ）及びカモフラージュ要素（４ａ）を配置する、第１のピッチ（ｄ１）及び第２のピッチ（ｄ２）は、印刷方式、用いる基材（１）、要素幅（Ｗ３）を考慮し、それぞれ１００〜３０００μｍの範囲内で適宜設定される。
【００６７】
本発明は、模様部（３）とカモフラージュ部（４）の平滑性が異なることで、中赤外線領域から遠赤外線領域において一方のみを視認可能としている。第１のピッチ（ｄ１）及び第２のピッチ（ｄ２）が３０００μｍを超える場合には、ピッチが小さい場合と比べ、基材（１）が多く露出する。よって、中赤外線領域から遠赤外線領域では、基材（１）の平滑性が影響することで、模様部（３）又はカモフラージュ部（４）の視認性が低下し、好ましくない。
【００６８】
また、模様要素（３ａ）及びカモフラージュ要素（４ａ）を配置する、第１のピッチ（ｄ１）及び第２のピッチ（ｄ２）を１００μｍ未満とした場合は、図９に示すように、複数配置された模様要素（３ａ）及びカモフラージュ要素（４ａ）はそれぞれ隙間なく配置されることから、可視光源下において肉眼では、模様部（３）及びカモフラージュ部（４）はいずれもベタ領域として視認される。
【００６９】
隙間なく配置された際には、中赤外線領域から遠赤外線領域での模様部（３）及びカモフラージュ部（４）の視認性は向上することとなるが、可視光源下においては、面積率の差が濃度の差として肉眼で容易に視認可能となるため、好ましくない。
【００７０】
なお、図８及び図９では、第１のピッチ（ｄ１）及び第２のピッチ（ｄ２）をいずれも一定ピッチで図示しているが、前述した範囲内であれば、一部異なるピッチとすることも可能である。
【００７１】
さらには、前述した範囲内であれば、図１０（ａ）に示すように、模様要素（３ａ）とカモフラージュ要素（４ａ）を異なるピッチとしたり、図１０（ｂ）に示すように、配置するピッチは同じだが、複数の模様要素（３ａ）と複数のカモフラージュ要素（４ａ）を第１の方向（Ｖ１）にずらして配置したりすることも可能である。
【００７２】
図１０（ａ）及び図１０（ｂ）に示す配置とした場合、前述した図２に示すように、印刷画像（２）において、模様部（３）とカモフラージュ部（４）が隣接して配置していない場合は特に問題はない。しかしながら、後述する模様部（３）の周囲にカモフラージュ部（４）が配置された構成では、ピッチの差に起因して模様部（３）の輪郭が強調されるため、可視光源下において、模様部（３）とカモフラージュ部（４）が識別可能となり、好ましくない。
【００７３】
模様要素（３ａ）の画線幅（Ｗ３）と、カモフラージュ要素（４ａ）の画線幅（Ｗ４）は、それぞれ２０〜２０００μｍの範囲内で適宜設定することが可能である。
【００７４】
各要素（３ａ、４ａ）の画線幅（Ｗ３、Ｗ４）が、２０μｍ未満の場合は、用いるインキの濃度によっては印刷画像（２）の視認性が悪くなったり、インキ皮膜の平滑な部位が少なくなったりするため、好ましくない。例えば、白色の基材（１）上に、黒、青等の濃度が高いインキを用いる場合は問題ないが、黄色、淡いピンク色等の濃度が低いインキを用いる場合、濃度が高いインキと比べ、視認性が悪くなる。
【００７５】
また、各要素（３ａ、４ａ）の画線幅（Ｗ３、Ｗ４）が、２０００μｍを超える場合は、用いるインキの濃度によっては模様要素（３ａ）とカモフラージュ要素（４ａ）の面積率の差が肉眼で視認可能となり、好ましくない。例えば、前述した濃度が低いインキを用いる場合は問題ないが、濃度が高いインキを用いる場合、基材（１）の色と、各要素（３ａ、４ａ）色の濃度差に起因し、可視光源下において模様要素（３ａ）とカモフラージュ要素（４ａ）が識別可能となり、好ましくない。
【００７６】
可視光源下において、各要素（３ａ、４ａ）を同じ画線として視認可能とするために、各要素（３ａ、４ａ）は同じ画線幅で複数配置される。なお、前述した図３に示すように、基材（１）上では、模様部（３）とカモフラージュ部（４）が隣接していない場合には、同じ画線幅とすることで、各要素（３ａ、４ａ）を同じ画線として視認することが可能となるが、模様部（３）とカモフラージュ部（４）を隣接して配置した場合には、それぞれの画線幅を調整する必要がある。なお、画線幅の調整については、後で詳細に説明する。
【００７７】
模様部（３）とカモフラージュ部（４）の面積率の差は、インキの膜厚、インキの光沢及びインキの色によりその許容範囲は異なるが、１〜２５％とする。
【００７８】
面積率の差が１％未満の場合、中赤外線領域から遠赤外線領域では、模様部（３）とカモフラージュ部（４）に輝度差が生じず、模様部（３）を視認しづらくなり、好ましくない。
【００７９】
また、面積率の差が２５％を超える場合、可視光源下では、肉眼で模様部（３）とカモフラージュ部（４）の面積率の差を視認可能となることで、模様部（３）とカモフラージュ部（４）が肉眼で等色として視認されず、好ましくない。
【００８０】
次に、図８（ｃ）に図示した、模様要素（３ａ）を構成する微細要素（３ｂ）について詳細に説明する。模様要素（３ａ）は、カモフラージュ要素（４ａ）よりも面積率を小さくするために、図８（ｃ）の拡大図に示すように、複数の微細要素（３ｂ）で構成される。微細要素（３ｂ）とは、画線幅（Ｗ３ｂ）の傾斜した微細画線であり、第１の方向（Ｖ１）とは異なる第２の方向（Ｖ２）に複数配置されることで、模様要素（３ａ）となる。
【００８１】
微細要素（３ｂ）の画線幅（Ｗ３ｂ）は、前述した模様部（３）とカモフラージュ部（４）の面積率の差が１〜２５％となるように、適宜設定する。
【００８２】
一例とし、図８（ｃ）において、カモフラージュ要素（４ａ）の画線面積率を１００％とするために、画線幅（Ｗ４）３００μｍの実線とした。また、模様要素（３ａ）の画線面積率を８０％とするために、ピッチ１００μｍ、画線幅（Ｗ３ｂ）８０μｍの微細要素（３ｂ）から成る構成とした。
【００８３】
なお、模様要素（３ａ）とカモフラージュ要素（４ａ）は面積率が異なることから、インキの濃度によっては可視光源下において肉眼で等色として認識されなくなることもあるが、等色で認識されない場合の対応については後述することとし、ここでは等色として認識されたものとして説明する。
【００８４】
この場合、画線面積率は、一方であるカモフラージュ要素（４ａ）が１００％であるのに対し、他方である模様要素（３ａ）は８０％となり、画線の表面性が異なる。よって、中赤外線領域から遠赤外線領域では、模様部（３）とカモフラージュ部（４）の正反射光の強度に差が生じ、模様部（３）とカモフラージュ部（４）が区分けして視認可能となる。
【００８５】
なお、図８（ｃ）では、模様要素（３ａ）を傾斜した微細画線である微細要素（３ｂ）を万線状に配置することで構成しているが、中赤外線領域から遠赤外線領域で、模様部（３）とカモフラージュ部（４）の輝度差が生じる構成であればこれに限らず、他の構成とすることも可能である。
【００８６】
図１１は、微細要素（３ｂ）の構成を示す平面図であり、図１１（ａ）から図１１（ｄ）は、それぞれ左図が模様要素（３ａ）を示し、右図が模様要素（３ａ）を構成する微細要素（３ｂ）を示す模式図である。
【００８７】
例えば、図１１（ａ）に示すように、模様要素（３ａ）を複数の縦方向に分断された画線である微細要素（３ｂ）を万線状に配置することで構成したり、図１１（ｂ）に示すように、模様要素（３ａ）を複数の横方向に分断された画線である微細要素（３ｂ）を万線状に配置することで構成したりすることも可能である。
【００８８】
また、図８（ｃ）や図１１（ａ）では、微細要素（３ｂ）の画線幅（Ｗ３ｂ）を、複数の微細要素（３ｂ）では、すべて同じとしているが、図１１（ｂ）に示すように、複数の微細要素（３ｂ）では、画線幅（Ｗ３ｂ１）と画線幅（Ｗ３ｂ２）のように異なる画線幅が混在した構成とすることも可能である。なお、複数の微細要素（３ｂ）において画線幅を異ならせる場合は、可視光源下では複数の模様要素（３ａ）を等色に視認可能であり、かつ、中赤外線領域から遠赤外線領域では、模様部（３）とカモフラージュ部（４）の輝度差が生じる構成となるように、適宜調整する。
【００８９】
なお、微細要素（３ｂ）は図８（ｃ）において重なることなく配置されているが、部分的に重なる領域を有して配置されてもよい。しかしながら、微細要素（３ｂ）が重なる領域については、用いるインキによっては濃度が高く視認されることから、重なる領域の大きさについては、適宜調整する。
【００９０】
さらには、微細要素（３ｂ）は画線状に限らず、図１１（ｃ）及び図１１（ｄ）に示す、マトリックス状に配置した構成とすることも可能である。その際においても、前述した画線と同様に、中赤外線領域から遠赤外線領域で、模様部（３）とカモフラージュ部（４）の輝度差が生じる構成となるように、適宜調整する。
【００９１】
なお、図８（ｃ）及び図１１では、面積率の差を生じさせるために、模様部（３）を、微細要素（３ｂ）から成る模様要素（３ａ）を複数配列することで形成し、カモフラージュ部（４）を、面積率１００％の画線であるカモフラージュ要素（４ａ）で形成していたが、肉眼で等色に視認可能であり、かつ、中赤外線領域から遠赤外線領域では、カモフラージュ部（４）と輝度差が生じる構成であればこれに限らず、他の構成とすることも可能である。
【００９２】
例えば、前述した模様部（３）とカモフラージュ部（４）の面積率の差が１〜２５％となるのであれば、図１２（ａ）に示すように、模様要素（３ａ）及びカモフラージュ要素（４ａ）を、いずれも微細要素（３ｂ、４ｂ）で構成することも可能である。また、その際の微細要素（３ｂ、４ｂ）の形状は、同じ形状でも、図１２（ａ）に示すように、模様要素（３ａ）とカモフラージュ要素（４ａ）で異なる形状としても、どちらでも良い。
【００９３】
また、図１２（ｂ）に示すように、模様部（３）を構成する複数の模様要素（３ａ）において、複数の模様要素（３ａ）は、一つ一つが互いに異なる形状の微細要素（３ｂ）から構成されても良く、更には、一つの模様要素（３ａ）内では、異なる形状の微細要素（３ｂ）から成る構成としても良い。図１１及び図１２に示した複数の微細要素（３ｂ）により模様要素（３ａ）を構成することで、模様部（３）とカモフラージュ部（４）は、網点面積率の差や、画素の粗密により、面積率の差が生じる。
【００９４】
次に、模様部（３）及びカモフラージュ部（４）を形成する有色インキについて説明する。
【００９５】
模様部（３）を形成するインキと、カモフラージュ部（４）を形成するインキは、同じインキでも異なるインキでも良い。
【００９６】
同じインキとした場合には、一種類のインキを用いて、赤外特性を有する媒体（Ｓ）を作製することが可能となり、複数種類のインキを用いた場合と比べ、より安価で作製することが可能となり、好ましい。
【００９７】
また、模様部（３）を形成するインキと、カモフラージュ部（４）を形成するインキは、等色のインキでも異なる色のインキでも良い。さらには、模様部（３）及びカモフラージュ部（４）は、複数種類のインキから成る構成でも良い。
【００９８】
なお、模様部（３）及びカモフラージュ部（４）を形成する有色インキは、中赤外線領域から遠赤外線領域において、基材（１）と正反射光の強度が異なり、サーモグラフィ等で認識可能なインキとする。
【００９９】
上記インキは、例えばレーザープリンタで使用されるトナー、インクジェットプリンタで使用されるプロセスインキ等でも良く、更には、中赤外線領域から遠赤外線領域において正反射光の強度が強くなる導電性インキを用いることが、好ましい。中赤外線領域から遠赤外線領域では正反射光の強度が強くなる導電性インキを用いることで、中赤外線領域から遠赤外線領域で基材（１）の正反射光の強度との差が大きくなり、更に容易に観察が可能となる。
【０１００】
導電性インキは、導電性を有する物質が含まれるインキのことであり、具体的には、銅粉、銀粉、カーボン、メジウム等を混合したインキのことである。
【０１０１】
次に、図１３を用いて、以上の構成から成る媒体（Ｓ）の視認状態について説明する。図１３（ａ１）及び図１３（ａ２）は、一例として模様部（３）の面積率を、カモフラージュ部（４）の面積率よりも小さく構成した媒体（Ｓ）を、可視光源下で観察した際の模式図及び平面図であり、図１３（ｂ１）及び図１３（ｂ２）は、図１３（ａ）の媒体（Ｓ）を中赤外線領域から遠赤外線領域で観察した際の模式図及び平面図である。
【０１０２】
図１３において、模様部（３）及びカモフラージュ部（４）を、同じ色の有色インキで形成した場合、図１３（ａ１）に示すように、可視光源下において媒体（Ｓ）を肉眼で観察した際、模様部（３）とカモフラージュ部（４）は同じ色のインキで形成していることから、肉眼では区別して視認することができない。よって、図１３（ａ２）に示すように、印刷画像（２）は、一様な濃度を有する画像として視認される。
【０１０３】
また、図１３（ｂ１）に示すように、媒体（Ｓ）を中赤外線領域から遠赤外線領域で観察した場合には、前述のとおり平滑性が高い（面積率が大きい）領域であるカモフラージュ部（４）は、正反射光の強度が高いため、輝度が高く（白く）表示される。一方、平滑性が低い（面積率小さい）領域である模様部（３）及び基材（１）は、平滑性が高い方と比較して正反射光の強度が低いため輝度が低く（黒く）表示される。
【０１０４】
よって、中赤外線領域から遠赤外線領域では、図１３（ｂ２）に示すように、模様部（３）は輝度が低く視認されることにより、基材（１）と等色に視認され、文字「ＡＣ」は視認することができない。一方、カモフラージュ部（４）は輝度が高く視認されることで、基材（１）と異なる輝度で視認される。それにより、カモフラージュ部（４）である文字「Ｂ」のみが視認可能となる。
【０１０５】
なお、模様部（３）においても、面積率又はインキ膜厚の大きさによっては、中赤外線領域から遠赤外線領域で基材（１）との差が視認されるが、本実施形態では、輝度が高く視認される方のみが視認されているとして説明する。
【０１０６】
また、図１３において、模様部（３）及びカモフラージュ部（４）を、異なる色の有色インキで形成した場合、図１３（ａ１）に示すように、可視光源下において媒体（Ｓ）を肉眼で観察した際、模様部（３）である文字「ＡＣ」と、カモフラージュ部（４）である文字「Ｂ」は異なる色で視認される。
【０１０７】
なお、媒体（Ｓ）を中赤外線領域から遠赤外線領域で観察した場合には、前述した模様部（３）とカモフラージュ部（４）が同じ色のインキで形成された場合と同様であることからに、説明を省略する。
【０１０８】
さらには、図１３において、可視光源下におけるカモフラージュ部（４）の隠蔽性を向上させるために、可視光源下において模様部（３）の文字「ＡＣ」のうち、文字「Ａ」のみと、カモフラージュ部（４）である文字「Ｂ」を同じ色の有色インキで形成し、模様部（３）の文字「Ｃ」のみを異なる色の有色インキで形成しても良い。
【０１０９】
例えば、印刷画像（２）において、文字「Ａ」「Ｂ」を赤色のインキで形成し、文字「Ｃ」を青色で形成した場合、図１３（ａ１）に示すように、可視光源下において媒体（Ｓ）を肉眼で観察した際、印刷画像（２）において、文字「ＡＢ」が赤色で、文字「Ｃ」が青い色で視認される。
【０１１０】
実際には、中赤外線領域から遠赤外線領域において視認可能な画像はカモフラージュ部（４）の文字「Ｂ」であるが、模様部（３）の一部とカモフラージュ部（４）のインキの色を同色とし、模様部（３）の一部である文字「Ｃ」のみを異なる色とすることで、観察者は文字「Ｃ」に秘匿情報が付与されていると感じる。
【０１１１】
このように、模様部（３）とカモフラージュ部（４）の一部を等色とすることで、異なる色がダミー情報として視認されるという効果を奏することが可能となる。
【０１１２】
なお、模様部（３）とカモフラージュ部（４）を同じ色のインキで形成し、インキ膜厚の差により区分けした場合、模様部（３）とカモフラージュ部（４）の画線幅又は画素の大きさは、インキ膜厚差により生じる印刷濃度の違いを考慮し、インキ膜厚の大きい方の画線幅又は画素の大きさを印刷濃度の違いに応じて低くするほうが望ましい。
【０１１３】
模様部（３）とカモフラージュ部（４）のインキ膜厚が異なり、画線幅や画素の大きさを同じとした場合、インキ膜厚の大きい方が、濃度が高く視認される。よって、肉眼において模様部（３）とカモフラージュ部（４）を等色に形成するのが難しく、好ましくない。
【０１１４】
一方、模様部（３）とカモフラージュ部（４）のインキ膜厚が異なり、画線幅又は画素の大きさを異ならせる場合、インキ膜厚に起因する印刷画線の濃度差を考慮して、濃度差の比率に応じて膜厚が高い部位の画線幅もしくは画素の大きさを略同じ比率で小さくすることで、肉眼で等色に見える画線又は画素を構成することが可能となる。よって、画線幅もしくは画素の大きさが同じ場合と比べて色合わせが簡易になり、好ましい。
【０１１５】
例えば、インキ膜厚の差により、画線幅２００μｍの画線の印刷濃度が１０％濃くなった場合においては、インキ膜厚の大きい方の画線幅を。約１８０μｍとすることで、肉眼ではその差が視認しづらい二つの領域を作成することが可能である。なお、ここでは画線の幅を変更する例を示したが、肉眼で等色に見えればよく、画素の大きさなど他の手段で調整してもよい。
【０１１６】
前述のとおり、模様部（３）とカモフラージュ部（４）は同じインキで形成される。しかしながら、可視光源下において同じインキでは、インキ膜厚の大きいところは濃度が濃く視認され、インキ膜厚の小さいところは濃度が薄く視認される。よって、印刷画像（２）を形成するインキの濃度や、模様部（３）及びカモフラージュ部（４）の膜厚差によっては、可視光源下において模様部（３）が視認可能となる可能性がある。
【０１１７】
そこで、同じ面積率で模様部及びカモフラージュ部を形成する場合には、基材（１）上に、あらかじめ印刷画像（２）を形成するインキの色に影響を与えない色のインキを用いて下地印刷を施すことにより、ある程度のインキ膜厚を基材（１）上に形成しておくことが、好ましい。
【０１１８】
例えば、模様部（３）とカモフラージュ部（４）のうち、インキ膜厚を大きく形成する一方を配置する基材（１）上に、あらかじめ下地印刷を施すことで、ある程度のインキ膜厚を基材（１）上に形成したのち、下地印刷の上に、模様部（３）又はカモフラージュ部（４）のうち、インキ膜厚を大きく形成する一方を配置し、他方を基材（１）上に配置する。
【０１１９】
それにより、一種類のインキを用いた場合と同様に、模様部（３）とカモフラージュ部（４）はインキ膜厚の差が生じるが、下地印刷を除く、模様部（３）及びカモフラージュ部（４）を形成する、インキの塗布量を同一にすることが可能となり、可視光源下における濃度差が生じづらくなる。
【０１２０】
よって、一種類のインキを用いた場合と比べ、可視光源下において、模様部（３）とカモフラージュ部（４）が区分けしづらい、隠蔽性の高い印刷画像（２）として形成することが可能となる。
【０１２１】
図１４は、下地印刷を有する印刷画像（２）を示す模式図である。なお、図１４では、詳細に説明するために、模様部（３）とカモフラージュ部（４）をいずれも模式的に隣り合う矩形領域として図示している。
【０１２２】
図１４（ａ）は、下地層（５）を有する模様部（３）とカモフラージュ部（４）を示す平面図であり、図１４（ｂ）は、図１４（ａ）のＸ３−Ｘ３’断面を示す図である。図７では、一例として下地印刷である下地層（５）を施したのち、その上に模様部（３）を形成している。
【０１２３】
下地層（５）を構成するインキは可視光領域での影響を抑えるため、基材（１）と同色のインキ、又は、白インキ、透明インキ等模様部（３）のインキよりも濃度が低いインキが望ましい。下地層（５）のインキが、模様部（３）のインキよりも濃度が高い場合、可視光源下において模様部（３）と下地層（５）の色が混色して視認されることで、模様部（３）とカモフラージュ部（４）が異なる色として視認され、好ましくない。
【０１２４】
図１４（ｂ）において、下地層（５）と模様部（３）は同じ面積で付与しているが、必ずしも同じ面積で付与する必要はなく、例えば、下地層（５）が基材（１）と同色のインキの場合は模様部（３）よりも大きめの面積で付与してもよい。
【０１２５】
なお、下地層（５）のインキ膜厚（ｈ１ａ）、模様部（３）のインキ膜厚（ｈ１ｂ）及び基材（１）上に形成するカモフラージュ部（４）のインキ膜厚（ｈ２）は、模様部（３）とカモフラージュ部（４）が肉眼で略等色となるように、適宜調整をする。その結果、可視光源下において、模様部（３）とカモフラージュ部（４）が等色で視認されことによって、肉眼で区分けしづらい、隠蔽性の高い印刷画像（２）として形成することが可能となる。
【０１２６】
例えば、基材（１）と同色のインキを下地層（５）に用いる場合、下地層（５）のインキ膜厚（ｈ１ａ）は、表面に凹凸が施されるように印刷し、下地層（５）上に形成する模様部（３）のインキ膜厚（ｈ１ｂ）と、基材（１）上に形成するカモフラージュ部（４）のインキ膜厚（ｈ２）を略同じインキ膜厚となるように施すように調整する。
【０１２７】
その結果、下地層（５）の上に形成する模様部（３）のインキ膜厚（ｈ１ｂ）と、基材（１）上に形成するカモフラージュ部（４）のインキ膜厚（ｈ２）が同じインキ膜厚となることで、可視光源下において、模様部（３）とカモフラージュ部（４）が等色で視認される。よって、肉眼で区分けしづらい、隠蔽性の高い印刷画像（２）として形成することが可能となる。
【０１２８】
また、模様部（３）とカモフラージュ部（４）に平滑性の差を生じさせるために、模様部（３）と下地層（５）は、異なる面積率で構成するほうが望ましい。
【０１２９】
例えば、基材（１）上に下地層（５）を面積率８５％で形成したのち、その上に、模様部（３）を面積率９０％で形成した場合、下地層（５）の面積率が小さいことから、二つを積層した場合、同じ面積率で積層した場合と比較して表面が荒くなり平滑性が低くなる。よって、模様部（３）とカモフラージュ部（４）の平滑性の差が大きく成りやすいことから、異なる面積率で構成するほうが望ましい。
【０１３０】
次に、印刷画像（２）の他の構成について説明する。
【０１３１】
図１５は、印刷画像（２）の他の構成を説明する平面図である。前述した印刷画像（２）は、図２に示したように、模様部（３）とカモフラージュ部（４）は、領域（Ｚ）内において模様部（３）と隣接しない異なる位置に配置されていたが、図１５では、模様部（３’）の周囲にカモフラージュ部（４’）を配置する。
【０１３２】
模様部（３’）とカモフラージュ部（４’）は、等色のインキで形成され、かつ、インキ膜厚又は面積率が異なる。よって、模様部（３’）の周囲にカモフラージュ部（４’）を配置した場合、可視光領域においては、等色のインキから形成されるため、面積率の差又はインキ膜厚の差に起因する平滑性の差を肉眼で識別することができず、模様部（３’）とカモフラージュ部（４’）は等色で視認される。よって、一様な色のベタ領域として印刷画像（２’）が視認される。
【０１３３】
媒体（Ｓ’）を中赤外線領域から遠赤外線領域で観察した場合には、模様部（３’）とカモフラージュ部（４’）が、インキ膜厚の差又は面積率の差により、輝度差が生じて視認される。よって、印刷画像（２’）内に、模様部（３’）である「ＪＰ」の有意味情報が潜像画像として視認可能となる。
【０１３４】
以上、模様部（３’）の周囲にカモフラージュ部（４’）を配置した場合には、可視光源下においては、模様部（３’）である有意味情報が視認されず、中赤外線領域から遠赤外線領域で観察した場合には、潜像画像として模様部（３’）が視認可能となる。
【０１３５】
なお、模様部（３’）とカモフラージュ部（４’）の配置については、図１５において示した配置に限らず、少なくとも一部が隣接することで可視光源下では、印刷画像（２’）とカモフラージュ部（４’）を、等色のインキで形成されたベタの印刷領域として肉眼で視認でき、かつ、模様部（３’）の形状が識別できない配置であれば、適宜設定することが可能である。
【０１３６】
図１６は、模様部（３’）とカモフラージュ部（４’）の配置の一例を示す平面図である。図１６（ａ）に示すように、模様部（３’）の一部と隣接するように、カモフラージュ部（４’）を配置してもよい。また、図１６（ｂ）に示すように、模様部（３’）は一つに限らず、複数配置しても良い。さらには、図１６（ｃ）に示すように、カモフラージュ部（４’）の周囲に模様部（３’）を配置する、図１５とは逆の配置としても良い。
【０１３７】
図１７は、図１５と同様に、模様部（３’）の周囲にカモフラージュ部（４’）を配置した印刷画像（２’）であり、印刷画像（２’）は、万線状の画線である模様要素（３ａ’）から成る。図８と同様に、模様部（３’）及びカモフラージュ部（４’）は、万線状の画線から模様要素（３ａ’）及びカモフラージュ要素（４ａ’）により、それぞれ構成することが可能である。
【０１３８】
前述した図８において、模様部（３）とカモフラージュ部（４）は、隣接して配置していないことから、模様要素（３ａ）及びカモフラージュ要素（４ａ）は同じ画線幅（Ｗ３、Ｗ４）で、同じピッチである第１のピッチ（ｄ１）及び第２のピッチ（ｄ２）で、同一方向である第１の方向（Ｖ）に配置することにより、実際にはそれぞれの画線の面積率やインキ膜厚が異なるが、肉眼で識別不能としていた。
【０１３９】
図１５において示したように、模様部（３’）の周囲にカモフラージュ部（４’）を配置し、図８に示すように、万線状の画線である、模様要素（３ａ）及びカモフラージュ要素（４ａ）からそれぞれ成る構成とし、インキ膜厚の差により模様部（３’）とカモフラージュ部（４’）を区分けして形成した場合、用いるインキの色及び面積率の差によっては、肉眼では、模様部（３’）とカモフラージュ部（４’）に濃度差が生じ、等色として視認することができない可能性がある。その際には、図１４において前述したように、下地層（５）を形成したのち、模様部（３’）を形成することで、可視光源下における濃度差を解消することが可能となる。
【０１４０】
また、面積率の差により区分けして形成した場合においても、インキ膜厚差と同様に、用いるインキの色、基材（１）の色及び面積率の差によっては、肉眼では、模様部（３’）とカモフラージュ部（４’）に濃度差が生じ、等色として視認することができない可能性がある。
【０１４１】
図１８は、面積率の差を示す模式図である。図１８（ａ）に示す領域（Ｎ１）は画線面積率１００％であり、図１８（ｂ）に示す領域（Ｎ２）は、画線面積率１００％である。各領域（Ｎ１、Ｎ２）は、それぞれ縦（Ｘ１、Ｘ２）×横（Ｙ１、Ｙ２）が同じ大きさで、同じインキにより形成される。
【０１４２】
面積率が異なる場合、基材（１）及びインキの色にもよるが、例えば基材（１）が白色で、各領域（Ｎ１、Ｎ２）を形成するインキが黒色の場合、図１８（ａ）に示す画線面積率１００％の場合と比べ、図１８（ｂ）に示す画線面積率８０％の構成については、２０％の白色の基材（１）が露出している。よって、肉眼において、図１８（ｂ）の方が、淡く視認されてしまい、等色として視認することができない可能性がある。
【０１４３】
そこで、面積率の差により区分けした場合には、可視光源下において、肉眼で模様部（３’）及びカモフラージュ部（４’）を等色で視認させるために、基材（１）の露出に伴う、濃度差をカバーするために、模様部（３’）及びカモフラージュ部（４’）のうち、面積率の大きい一方を構成する要素、例えばカモフラージュ部（４’）を構成するカモフラージュ要素（４ａ’）の画線幅又は要素幅を、他方である模様部（３’）を構成する模様要素（３ａ’）の画線幅又は要素幅よりも、若干細く構成する。
【０１４４】
一例として図１７においては、カモフラージュ部（４’）は実線であるカモフラージュ要素（４ａ’）から成り、模様部（３’）は万線状の微細画線である微細要素（３ｂ’）から成る。よって、模様部（３’）の方が、カモフラージュ部（４’）より面積率が小さい。
【０１４５】
そこで、可視光源下において、面積率の異なる模様部（３’）とカモフラージュ部（４’）を等色で視認させるために、面積率の大きいカモフラージュ部（４’）を構成するカモフラージュ要素（４ａ’）の画線幅（Ｗ４）を、模様部（３’）を構成する模様要素（３ａ’）の画線幅（Ｗ３）よりも、若干細く構成する。
【０１４６】
カモフラージュ要素（４ａ’）の画線幅（Ｗ４）を若干細くすることで、細くする前のカモフラージュ要素（４ａ’）よりも濃度が淡く視認される。よって、模様要素（３ａ’）と、カモフラージュ要素（４ｂ’）は、面積率の大きい一方の画線幅を若干細くしたことで、同じ画線幅で形成した場合と比べ、模様要素（３ａ’）とカモフラージュ要素（４ａ’）を、等色として同じように視認することが可能となる。
【０１４７】
なお、模様要素（３ａ）とカモフラージュ要素（４ａ）の画線幅が異なる場合には、用いるインキの色、光沢等により異なる濃度として視認される場合がある。よって、各要素（３ａ、４ａ）の画線幅は、出力物を確認して適宜調整する。
【０１４８】
次に、図１７の構成から成る媒体（Ｓ’）の視認状態について説明する。図１９（ａ１）及び図１９（ａ２）は、一例として模様部（３’）の面積率を、カモフラージュ部（４’）の面積率よりも小さく構成した媒体（Ｓ’）を、可視光源下で観察した際の模式図及び平面図であり、図１９（ｂ１）及び図１９（ｂ２）は、図１９（ａ）の媒体（Ｓ’）を中赤外線領域から遠赤外線領域で観察した際の模式図及び平面図である。
【０１４９】
図１９（ａ１）に示すように、可視光源下において媒体（Ｓ’）を肉眼で観察した場合、模様部（３’）とカモフラージュ部（４’）は同じインキで形成していることから、肉眼では区別して視認することができない。よって、図１９（ａ２）に示すように、印刷画像（２’）は、一様な濃度を有する領域として視認される。
【０１５０】
また、図１９（ｂ１）に示すように、媒体（Ｓ’）を中赤外線領域から遠赤外線領域で観察した場合には、前述のとおり平滑性が高い（面積率が大きい）領域であるカモフラージュ部（４’）は、正反射光の強度が高いため、輝度が高く（白く）表示される。一方、平滑性が低い（面積率小さい）領域である模様部（３’）及び基材（１）は、平滑性が高い方と比較して正反射光の強度が低いため輝度が低く（黒く）表示される。
【０１５１】
よって、中赤外線領域から遠赤外線領域では、図１９（ｂ２）に示すように、模様部（３’）は輝度が低く視認されることにより、基材（１）と等色に視認される。一方、カモフラージュ部（４’）は輝度が高く視認されることにより、模様部（３’）と異なる輝度で視認される。それにより、模様図（３’）とその周囲に配置したカモフラージュ部（４’）は輝度差が生じ、模様部３’である文字「ＪＰ」が視認可能となる。
【０１５２】
次に、印刷画像（２）の他の構成について説明する。
【０１５３】
図２０は、印刷画像（２）の他の構成を説明する平面図である。前述した印刷画像（２’）は、図１７に示したように、模様部（３’）の周囲にカモフラージュ部（４’）を等色のインキで形成していたが、複数色のインキで、模様部（３’）及びカモフラージュ部（４’）を形成しても良い。
【０１５４】
図２０に示す印刷画像（２’’）は赤色のインキから成る、有意味情報である文字「Ｊ」の周囲に、青色のインキから成る背景を有する構成である。印刷画像（２’’）は、可視光源下では、赤色の文字「Ｊ」と青色の背景から成る一つの画像として視認されるが、平滑性の差により、模様部（３’’）及びカモフラージュ部（４’’）に区分けされる。
【０１５５】
印刷画像（２’’）を、平滑性の差により、模様部（３’’）とカモフラージュ部（４’’）に区分けする点については同じだが、図２０においては、可視で視認される有意味情報と、模様部（３’’）を異なる有意味情報としている。
【０１５６】
可視光領域においては、面積率の差又はインキ膜厚の差に起因する平滑性の差を肉眼で識別することができず、有意味情報である文字「Ｊ」が視認される。
【０１５７】
媒体（Ｓ’’）を中赤外線領域から遠赤外線領域で観察した場合には、模様部（３’’）とカモフラージュ部（４’’）が、インキ膜厚の差又は面積率の差により、輝度差が生じて視認される。よって、印刷画像（２’’）内に、模様部（３’’）である「Ｐ」の有意味情報が潜像画像として視認可能となる。
【０１５８】
以上、模様部（３’’）の周囲にカモフラージュ部（４’’）を配置し、可視光源下で視認される有意味情報と、模様部（３’’）の形状を異ならせることで、可視光源下と、中赤外線領域から遠赤外線領域において、画像がチェンジする構成とすることが可能である。
【０１５９】
なお、図２０において、印刷画像（２’’）は、赤色のインキから成る有意味情報「Ｊ」と、青色のインキから成る背景とで構成したが、これに限らず、前述したとおり、中赤外線領域から遠赤外線領域において、基材（１）と正反射光の強度が異なり、サーモグラフィ等で認識可能なインキを用いた画像であれば、顔画像、風景等の階調画像や、封数色のインキを用いたフルカラー画像等、所望の画像とすることが可能である。
【実施例１】
【０１６０】
以下、実施例１を用いて本発明を更に具体的に説明するが、本発明を限定するものではない。実施例１として図１７に示した媒体（Ｓ’）を作製した。なお、印刷画像（２’）における模様部（３’）及びカモフラージュ部（４’）は、それぞれ万線状の画線である模様要素（３ａ’）及びカモフラージュ要素（４ａ’）で形成した。
【０１６１】
模様部（３’）とカモフラージュ部（４’）は、面積率の差により区分けされる構成とした。
【０１６２】
基材（１）は、白色のマット紙（ＥＰＳＯＮ社製「フォトマット紙」）とした。
【０１６３】
模様部（３’）を構成する模様要素（３ａ’）の画線幅（Ｗ３）は、３１０μｍとし、カモフラージュ部（４）を構成するカモフラージュ要素（４ａ’）の画線幅（Ｗ４）は、２６０μｍとした。模様要素（３ａ’）は、面積率８６％となるように、斜めの微細画線である微細要素（３ｂ’）を複数配置し、カモフラージュ要素（４ａ’）は面積率１００％の実線とした。なお、模様要素（３ａ’）及びカモフラージュ要素（４ａ’）は、いずれも１ｍｍの一定ピッチで配置した。
【０１６４】
模様部（３’）及びカモフラージュ部（４’）は、基材（１）上に、黒色の有色インキを用いて、レーザープリンタ（ＥＰＳＯＮ社製「ＬＰ―Ｓ５０００」）により印刷することで形成した。
【０１６５】
模様部（３’）とカモフラージュ部（４’）を形成する有色インキは、上記レーザープリンタに対応する通常のトナーであるカーボンブラック（Ｂｋ）を使用した。
【０１６６】
実施例１で作製した媒体（Ｓ’）を、可視光源下で観察したところ、印刷画像（２’）は１色のインキで構成された濃度が一様な万線構成のベタ領域が視認できた。
【０１６７】
次に、媒体（Ｓ’）をサーモグラフィ（ＮＥＣ Ａｖｉｏ赤外線テクノロジー株式会社製サーモギアＧ１２０Ｗ２）により、波長域８０００〜１４０００ｎｍの遠赤外線領域で観察したところ、模様部（３’）とカモフラージュ部（４’）に輝度差が生じ、模様部（３）である文字「ＪＰ」が視認できた。
【実施例２】
【０１６８】
次に、実施例２として図２１に示した印刷画像（２’）を有する媒体（Ｓ’）を作製した。なお、印刷画像（２’）における、模様部（３’）及びカモフラージュ部（４’）は、ドット形状の模様要素（３ａ’）及びカモフラージュ要素（４ａ’）で、それぞれ形成した。また、印刷画像（２’）は、インキの膜厚差により、模様部（３’）とカモフラージュ部（４’）に区分けし、模様部（３’）は、図１４に示した下地層（５）を有する構成とした。
【０１６９】
基材（１）は、白色のコート紙（ＥＰＳＯＮ社製「写真用紙」）とした。
【０１７０】
模様部（３’）を構成する模様要素（３ａ’）のドット径（Ｗ３）は３４０μｍとし、カモフラージュ部（４）を構成するカモフラージュ要素（４ａ’）のドット径（Ｗ４）は、４５０μｍとした。
【０１７１】
下地層（５）は、模様部（３’）を構成する模様要素（３ａ’）と同じ大きさ及び形状のドットとした。
【０１７２】
下地層（５）のインキ膜厚は１５μｍとし、その上に形成する模様要素（３ａ’）のインキ膜厚は１０μｍとし、カモフラージュ要素（４ａ’）のインキ膜厚は１０μｍとした。
【０１７３】
なお、模様要素（３ａ’）、カモフラージュ要素（４ａ’）は、いずれも４６０μｍの一定ピッチで配置した。
【０１７４】
模様部（３’）、下地層（５）及びカモフラージュ部（４’）は、基材（１）上に有色インキを用いて、ＵＶ乾燥機構を備えたインクジェットプリンタ（Ｔｒｉｔｅｋ社製「Ｐａｔｔｅｒｎｉｎｇ  ＪＥＴ」）により印刷することで形成した。
【０１７５】
模様部（３’）とカモフラージュ部（４’）を形成する有色インキは、上記インクジェットプリンタに対応する通常のシアンインキを使用した。下地層（５）を形成する有色インキには、上記インクジェットプリンタに対応する通常の白色インキを使用した。なお、下地層（５）に用いる白色インキは、基材（１）の色に近似した色を用いた。
【０１７６】
実施例２で作製した媒体（Ｓ’）を、可視光源下で観察したところ、印刷画像（２’）は青色のベタ領域として視認できた。
【０１７７】
次に、媒体（Ｓ’）をサーモグラフィ（ＮＥＣ Ａｖｉｏ赤外線テクノロジー株式会社製サーモギアＧ１２０Ｗ２）により、波長域８０００〜１４０００ｎｍの遠赤外線領域で観察したところ、模様部（３’）とカモフラージュ部（４’）に輝度差が生じ、模様部（３’）である「ＪＰ」の有意味情報が視認できた。
【実施例３】
【０１７８】
実施例３として図２０に示した媒体（Ｓ’’）を作製した。印刷画像（２’’）における模様部（３’’）及びカモフラージュ部（４’’）は、万線状の画線である模様要素（３ａ’’）及びカモフラージュ要素（４ａ’’）で形成した。また、模様要素（３ａ’’）及びカモフラージュ要素（４ａ’’）は画素である微小文字「ＪＰＮ」を複数配置した画素群により形成した。
【０１７９】
基材（１）は、白色のコート紙（Ｔｏｃｈｉｍａｎ社製カラーレーザー用紙  片面強光沢１８６ｇ／ｍ２）とした。
【０１８０】
模様部（３’’）を構成する模様要素（３ａ’’）の画線幅（Ｗ３）は、１３００μｍとし、カモフラージュ部（４）を構成するカモフラージュ要素（４ａ’’）の画線幅（Ｗ４）は、１２００μｍとした。
【０１８１】
模様要素（３ａ’’）は、画線の面積率が４６％となるように、斜め方向の楕円形状である微細要素（３ｂ）を一部重畳するように複数配置し、カモフラージュ要素（４ａ’’）は画線の面積率が４８％の直線で構成された微小文字を複数配置した。なお、模様要素（３ａ’’）及びカモフラージュ要素（４ａ’’）は、カモフラージュ部（４’’）が有意味情報「Ｐ」となるように、いずれも１７５０μｍの一定ピッチ（ｄ３、ｄ４）で万線状に複数配置した。
【０１８２】
さらに可視光領域下で異なる有意味情報「Ｊ」となるように、模様部（３’’）及びカモフラージュ部（４’’）を構成する模様要素（３ａ’’）及びカモフラージュ要素（４ａ’’）のうち、有意味情報「Ｊ」を構成する模様要素（３ａ’’）及びカモフラージュ要素（４ａ’’）をマゼンタ色に設定し、有意味情報「Ｊ」の背景を構成する模様要素（３ａ’’）及びカモフラージュ要素（４ａ’’）をシアン色に設定した。
【０１８３】
模様部（３’’）及びカモフラージュ部（４’’）は、基材（１）上に、あらかじめ有意味情報「Ｊ」の構成に合わせて設定したシアン色及びマゼンタ色に合わせて、シアン職の有色インキとマゼンタ色の有色インキを用いて、レーザープリンタ（ＣＡＮＯＮ社製「ＬＢＰ―５３００」）により印刷することで形成した。
【０１８４】
実施例３で作製した媒体（Ｓ’’）を、可視光源下で観察したところ、印刷画像（２’’）は有意味情報「Ｊ」がマゼンタ色で視認でき、背景がシアン色で視認できた。
【０１８５】
また、媒体（Ｓ’’）を近赤外線カメラにより、波長域７００〜１０００ｎｍの近赤外線領域で観測した場合には近赤外透過特性のインキのため何も視認されなかった。
【０１８６】
次に、媒体（Ｓ’’）をサーモグラフィ（ＮＥＣ Ａｖｉｏ赤外線テクノロジー株式会社製サーモギアＧ１２０Ｗ２）により、波長域８０００〜１４０００ｎｍの遠赤外線領域で観察したところ、模様部（３’’）とカモフラージュ部（４’’）に輝度差が生じ、模様部（３）である文字「Ｐ」が視認できた。
【０１８７】
以上、本発明に係る実施例に基づいて実施の形態を説明したが、上記実施例に限定されることなく特許請求の範囲記載の技術思想の範囲内で、更にいろいろな実施例があることは言うまでもない。
【符号の説明】
【０１８８】
１                        基材
２、２’、２’’          印刷画像
３、３’、３’’          模様部
３ａ、３ａ’、３ａ’’    模様要素
３ｂ、３ｂ’、３ｂ’’    微細要素
４、４’、４’’          カモフラージュ部
４ａ、４ａ’、４ａ’’    カモフラージュ要素
４ｂ、４ｂ’、４ｂ’’    微細要素
３ａ                      下地層
Ｓ、Ｓ’、Ｓ’’          偽造防止媒体
Ｚ                    領域
【図１】
2014201051.tif 000003
【図２】
2014201051.tif 000004
【図３】
2014201051.tif 000005
【図４】
2014201051.tif 000006
【図５】
2014201051.tif 000007
【図６】
2014201051.tif 000008
【図７】
2014201051.tif 000009
【図８】
2014201051.tif 000010
【図９】
2014201051.tif 000011
【図１０】
2014201051.tif 000012
【図１１】
2014201051.tif 000013
【図１２】
2014201051.tif 000014
【図１３】
2014201051.tif 000015
【図１４】
2014201051.tif 000016
【図１５】
2014201051.tif 000017
【図１６】
2014201051.tif 000018
【図１７】
2014201051.tif 000019
【図１８】
2014201051.tif 000020
【図１９】
2014201051.tif 000021
【図２０】
2014201051.tif 000022
【図２１】
2014201051.tif 000023